(57)【要約】      （修正有）【課題】測定の手順を簡略化した、信頼性の高い２次電池の自己放電量の測定方法を得る。【解決手段】対象セルを充放電機にセットし、任意の放電深度に相当する電圧まで充電させる第１の手段と、一定期間充電を継続することにより設定電圧を維持する第２の手段と、充電期間中に容量漏れによる電圧の低下を相殺するために消費される充電電流を測定する第３の手段とで構成される２次電池の自己放電量の測定方法において、前記第３の手段にて、消費電流（Ａ）と充電期間（ｈ）とを乗じた値を、自己放電量（Ａｈ）と定義して、対象セルの自己放電量を計算する２次電池の自己放電量の測定方法とする。【選択図】図１
2006147389.tif 000002
【特許請求の範囲】
【請求項１】
対象セルを充放電機にセットし、任意の放電深度に相当する電圧まで充電させる第１の手段と、一定期間充電を継続することにより、設定電圧を維持する第２の手段と、充電期間中に容量漏れによる電圧低下を相殺するために消費される充電電流を測定する第３の手段とで構成されることを特徴とする２次電池の自己放電量の測定方法。
【請求項２】
前記２次電池の自己放電量の測定方法において、前記第３の手段は、電圧を安定化させるために、充電開始後、１日経過後から測定が開始されることを特徴とする請求項１に記載の２次電池の自己放電量の測定方法。  
【請求項３】
前記２次電池の自己放電量の測定方法において、前記第３の手段は、消費電流（Ａ）と充電期間（ｈ）とを乗じた値を、自己放電量（Ａｈ）と定義して、対象セルの自己放電量を計算することを特徴とする請求項１または２のいずれかに記載の２次電池の自己放電量の測定方法。
【発明の詳細な説明】
【技術分野】
【０００１】
本発明は、主として、電子部品、電源機器、携帯端末機器などに使用される２次電池に関し、特に２次電池の自己放電量の測定方法に関する。 
【背景技術】
【０００２】
従来の２次電池の自己放電量の測定方法について、以下に説明する。従来、自己放電量を測定する方法としては、電池を満充電した後に、一定期間、室温雰囲気等で放置した後に、端子電圧の低下分を測定する方法があった。
【０００３】
具体例として、以下に説明する。従来の自己放電量の測定方法は、保存特性を用いた測定方法であって、例えば、電池を定格の条件にて充電し、充電条件は、電圧４．２Ｖ、１Ｃに相当する電流で、２．５時間、室温中とする。その定格充電状態で、０．２Ｃの電流を流して放電容量を測定し、この値が初期放電容量となる。次に、定格充電状態で２０℃−３０日保存し、次に、保存後の残存容量を測定する。ここで、Ｃは２次電池の放電率である。
【０００４】
ここで、初期放電容量と、前記残存容量との差が自己放電量となる。      
【０００５】
例えば、納入仕様書に採用されている例として、８０％以上の容量維持、２０％以下の自己放電量という規定がある。                     
【０００６】
図４は、従来の２次電池の自己放電量の測定方法の説明図である。図４は、２次電池を一度充電し、その後、放置させて電圧の降下を測定したものである。従来は、同２次電池の放電カーブから電圧の降下分を求め、この電圧の降下分を容量の低下分とみなして、自己放電量を算出した。ここでは、自己放電量の測定に、約３５０時間を費やしている。
【０００７】
例えば、特許文献１には、リチウムイオン２次電池の自己放電量の測定方法について、端子電圧の電圧降下を用いることが記載されている。
【０００８】
【特許文献１】特開２００２−３４３４４６
【発明の開示】
【発明が解決しようとする課題】
【０００９】
従来の２次電池の自己放電量の測定方法においては、以下の問題点があった。第１に、測定時間が長いという問題点があった。第２に、満充電（放電深度０％）以外の２次電池については自己放電量の測定を直接行っていないという問題点があった。このため、ある期間放置後のセル電圧変化を容量変化に換算して自己放電量を測定していた。従って、従来の測定方法においては、２週間程度の期間が客先からの不具合の原因の解析に必要であり、また、電圧変化を容量変化に換算するために、別途同等特性の２次電池の放電特性カーブを測定する必要があった。  
【００１０】
従って、本発明の課題は、上記の問題点を解決し、測定の手順を簡略化した、測定値の信頼性の高い２次電池の自己放電量の測定方法を提供することである。
【課題を解決するための手段】
【００１１】
本発明の２次電池の自己放電量の測定方法は、従来の欠点を除去するため、充電期間中に容量漏れによる電圧の低下を相殺するために消費される充電電流を測定する２次電池の自己放電量の測定方法である。
【００１２】
即ち、本発明は、定電圧充電を介した２次電池の自己放電量の測定方法において、対象セルを充放電機にセットし、任意の放電深度に相当する電圧まで充電させる第１の手段と、一定期間充電を継続することにより、設定電圧を維持する第２の手段と、充電期間中に容量漏れによる電圧低下を相殺するために消費される充電電流を測定する第３の手段とによる２次電池の自己放電量の測定方法であり、前記第３の手段にて、消費電流（Ａ）×充電期間（ｈ）＝自己放電量（Ａｈ）にて自己放電量を計算する２次電池の自己放電量の測定方法である。
【００１３】
また、本発明は、前記２次電池の自己放電量の測定方法にて、電圧が安定化させるために、充電開始後、１日経過時点から測定開始を行い、消費電流（Ａ）×充電期間（ｈ）＝自己放電量（Ａｈ）にて自己放電量を計算する２次電池の自己放電量の測定方法である。 
【発明の効果】
【００１４】
以上、本発明によれば、測定の手順を簡略化し、短期間に、また測定値の信頼性の高い、２次電池の自己放電量の測定方法を提供することができる。
【発明を実施するための最良の形態】
【００１５】
本発明の実施の形態による２次電池の自己放電量の測定方法について、以下に説明する。本発明の２次電池の自己放電量の測定方法は、対象セルを充放電機にセットし、任意の放電深度に相当する電圧まで充電させる第１の手段と、一定期間充電を継続することにより、設定電圧を維持する第２の手段と、充電期間中に容量漏れによる電圧低下を相殺するために消費される充電電流を測定する第３の手段とによる２次電池の自己放電量の測定方法である。前記第３の手段にて、消費電流（Ａ）と充電期間（ｈ）とを乗じた値を、自己放電量（Ａｈ）と定義して自己放電量を計算することを特徴とする２次電池の自己放電量の測定方法とする。ここで、前記放電深度の範囲は、放電深度０％（満充電）から９０％の範囲とする。
【００１６】
また、本発明は、２次電池の自己放電量の測定方法にて、前記第３の手段を、電圧を安定化させるために、充電開始後、１日経過時点から測定が開始されることとする２次電池の自己放電量の測定方法である。 
【実施例１】
【００１７】
図１は、本発明の実施例１の２次電池の自己放電量の測定方法の説明図である。ここで、図１に用いた２次電池は、製造後、約２年経過し、返却された時点にて、良品の場合、５０％充電状態で電圧３．９Ｖであるのものが、電圧０．５Ｖに低下していた。
【００１８】
図１にて、横軸は充電時間であり、縦軸については、図中、点線のグラフは、電圧を示し、また１点破線は、累積自己放電量を示し、また、実線は、自己放電量を示す。ここで、前記自己放電量は、９００秒間ごとでの放電量とし、累積自己放電量は、一日経過時点からの自己放電量の積分値である。本発明の２次電池の自己放電量の測定方法では、充電期間中に容量漏れによる電圧低下を相殺するため、前記電圧低下にともなって消費される充電電流を測定する測定装置を持つため、図１に示すように、電圧は３．９Ｖ一定に制御されている。本測定により、この２次電池の自己放電量が、かなり高いことが短期間でわかる。
【実施例２】
【００１９】
図２は、本発明の実施例２の２次電池の自己放電量の測定方法の説明図である。ここで、図２に用いた２次電池は、製造後、約２．５年経過したもので、良品の場合、５０％充電状態で電圧３．９Ｖであるのものが、電圧２．５Ｖまで電圧低下していた。
【００２０】
図２にて、横軸は充電時間であり、縦軸については、図中、点線のグラフは、電圧を示し、また１点破線は、累積自己放電量を示し、また、実線は、自己放電量を示す。ここで、累積自己放電量は、一日経過時点からの自己放電量の積分値である。本発明の２次電池の自己放電量の測定方法では、充電期間中に容量漏れによる電圧低下を相殺するため、前記電圧低下にともなって消費される充電電流を測定する第３の手段を持つため、本測定により２次電池の自己放電量が、実施例１よりは低いことがわかる。
【実施例３】
【００２１】
図３は、本発明の実施例３の２次電池の自己放電量の測定方法の説明図である。ここで、図３に用いた２次電池は、製造後、約２年経過したもので、良品の場合、５０％充電状態で電圧３．９Ｖであるのものが、電圧１．９Ｖまで低下していた。
【００２２】
図３にて、横軸は充電時間であり、縦軸については、図中、点線のグラフは、電圧を示し、また１点破線は、累積自己放電量を示し、また、実線は、自己放電量を示す。ここで、累積自己放電量は、一日経過時点からの自己放電量の積分値である。本発明の２次電池の自己放電量の測定方法では、充電期間中に容量漏れによる電圧の低下を相殺するために消費される充電電流を測定する第３の手段があるため、本測定により、自己放電量は、あまり大きくないことが短期間でわかる。
【実施例４】
【００２３】
図５は、本発明の実施例４の２次電池の自己放電量の累積自己放電量の測定方法の説明図である。図５にて、横軸は、充電時間であり、縦軸については、図中、点線のグラフは、電圧を示し、また１点破線は、累積自己放電量を示し、また、実線は、自己放電量を示す。本発明の２次電池の自己放電量の測定方法では、充電期間中に容量漏れによる電圧の低下を相殺するために消費される充電電流を測定する第３の手段があるため、本測定により、良品の自己放電量のプロフィールを把握することができる。また、短期間でも一応のプロフィールを把握することができるため、同様に、短期間で不良品の測定と比較することにより、不具合品の解析を行うことができる。
【図面の簡単な説明】
【００２４】
【図１】本発明の実施例１の２次電池の自己放電量および累積自己放電量の測定方法の説明図。
【図２】本発明の実施例２の２次電池の自己放電量および累積自己放電量の測定方法の説明図。
【図３】本発明の実施例３の２次電池の自己放電量および累積自己放電量の測定方法の説明図。
【図４】従来の２次電池の自己放電量の測定方法の説明図。
【図５】本発明の実施例４の２次電池の自己放電量および累積自己放電量の測定方法の説明図。
【図１】
2006147389.tif 000003
【図２】
2006147389.tif 000004
【図３】
2006147389.tif 000005
【図４】
2006147389.tif 000006
【図５】
2006147389.tif 000007